(57)【要約】【課題】  工業所有権に関わる文献情報に関連する文献情報の認識が簡単な構成で容易な工業所有権に関わる文献情報検索システムを提供する。【解決手段】  頒布の文献情報をサーバ読取手段３４０にて読み取り、サーバ記憶手段３５０の頒布の形態毎に文献情報を蓄積する各データベース３５１〜３５５に蓄積する。サーバ記憶手段３５０から読取マスタデータを読み取り、読取マスタデータの各分類毎に対象となり同一の文献情報の各項目内容情報をデータベース３５１〜３５５から読み取る。読取マスタデータの優先度情報に基づき、最も優先する項目内容情報を選出し、最新文献情報のデータ構造に対応して１つのレコードとして最新文献情報を生成する。所定の文献情報における工業所有権に関わる項目について最新状態を簡単な構成で容易に認識できる。【選択図】 図３
2005099936.tif 000002
【特許請求の範囲】
【請求項１】
工業所有権に関わる項目の内容に関する項目内容情報を複数有し頒布される文献情報について検索するための工業所有権に関わる文献情報の検索データ構造であって、
前記頒布される文献情報における頒布の形態に関する文献種別情報が前記項目毎に設定されるとともに、前記文献情報の項目内容情報を読み取る優先順位を前記文献情報の頒布の形態により表された優先度情報が前記項目毎に設定されたテーブル構造である
ことを特徴とした工業所有権に関わる文献情報の検索データ構造。
【請求項２】
請求項１に記載の工業所有権に関わる文献情報の検索データ構造であって、
前記項目は、出願手続における書誌的事項および前記文献情報の経過状況の少なくともいずれか一方である
ことを特徴とした工業所有権に関わる文献情報の検索データ構造。
【請求項３】
請求項１または請求項２のいずれかに記載の工業所有権に関わる文献情報の検索データ構造が演算手段にて読み取り可能に記録された
ことを特徴とした工業所有権に関わる文献情報の検索データ構造を記録した記録媒体。
【請求項４】
工業所有権に関わる項目の内容に関する項目内容情報を複数有し頒布される文献情報について検索するための工業所有権に関わる文献情報検索装置であって、
前記頒布される文献情報における頒布の形態に関する文献種別情報および前記項目内容情報を読み取る読取手段と、
請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を報知可能に生成する情報統括処理手段と、
を具備したことを特徴とした工業所有権に関わる文献情報検索装置。
【請求項５】
工業所有権に関わる項目の内容に関する項目内容情報を複数有し頒布される文献情報について検索するための工業所有権に関わる文献情報検索装置であって、
前記頒布される文献情報の頒布の形態に関する文献種別情報および前記項目内容情報を読み取る読取手段と、
前記文献種別情報の優先順位に関する優先度情報が前記項目毎に設定された読取マスタデータを記憶する記憶手段と、
前記読み取った文献種別情報に基づいて前記読取マスタデータの優先度情報の優先順位にしたがって前記頒布される文献情報の項目内容情報を前記読取手段にて読み取らせて、この読み取った項目内容情報を前記文献情報毎に１つのレコードとして関連付けたテーブル構造の最新文献情報を報知可能に生成する情報統括処理手段と、
を具備したことを特徴とした工業所有権に関わる文献情報検索装置。
【請求項６】
請求項４または請求項５に記載の工業所有権に関わる文献情報検索装置であって、
前記頒布される文献情報を蓄積する蓄積手段を具備し、
前記情報統括処理手段は、前記蓄積される文献情報における同一の文献情報の項目内容情報についての前記優先度情報の最も優先される優先順位となる前記項目内容情報を選出して前記文献情報毎に１つのレコードとして関連付けたテーブル構造の最新文献情報を生成する
ことを特徴とした工業所有権に関わる文献情報検索装置。
【請求項７】
請求項４または請求項５に記載の工業所有権に関わる文献情報検索装置であって、
前記頒布される文献情報を蓄積する蓄積手段を具備し、
前記情報統括処理手段は、前記読取手段にて前記頒布された文献情報を読み取った際、前記読み取った文献情報の項目内容情報と、この文献情報の頒布の形態と異なり前記蓄積された同一の文献情報の項目内容情報とにおける前記優先度情報の最も優先される優先順位となる前記項目内容情報を選出して前記文献情報毎に１つのレコードとして関連付けたテーブル構造の最新文献情報を生成する
ことを特徴とした工業所有権に関わる文献情報検索装置。
【請求項８】
請求項６または請求項７に記載の工業所有権に関わる文献情報検索装置であって、
前記蓄積手段は、頒布される文献情報の頒布の形態毎に前記文献情報を蓄積する複数の蓄積領域を有し、
前記情報統括処理手段は、前記蓄積領域の頒布の形態に基づいてこれら蓄積領域に蓄積された文献情報の項目内容情報の優先度情報により優先順位を認識し、最も優先される項目内容情報により前記最新文献情報を生成する
ことを特徴とした工業所有権に関わる文献情報検索装置。
【請求項９】
請求項４または請求項５に記載の工業所有権に関わる文献情報検索装置であって、
前記生成された最新文献情報を蓄積する蓄積手段を具備し、
前記情報統括処理手段は、最新文献情報の項目内容情報の優先順位より前記読み取った項目内容情報の優先順位が優先すると判断すると、その優先する前記読み取った項目内容情報を前記最新項目情報の項目内容情報として更新する
ことを特徴とした工業所有権に関わる文献情報検索装置。
【請求項１０】
工業所有権に関わる項目の内容に関する項目内容情報を複数有し頒布される文献情報について検索するための工業所有権に関わる文献情報検索システムであって、
検索対象の前記所定の文献情報を特定する固有の情報である文献固有情報を有し前記所定の文献情報について検索の実施を要求する検索要求情報を生成する検索要求手段と、検索結果を出力する出力手段と、を備えた端末装置と、
前記端末装置がネットワークを介して送受信可能に接続され、前記頒布される文献情報の頒布の形態に関する文献種別情報および前記項目内容情報を読み取る読取手段と、前記端末装置からの前記検索要求情報を認識することにより、請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を、前記端末装置の出力手段にて前記検索結果として出力可能に生成する情報統括処理手段と、を備えたサーバ装置と、
を具備したことを特徴とした工業所有権に関わる文献情報検索システム。
【請求項１１】
工業所有権に関わる項目の内容に関する項目内容情報を複数有し頒布される文献情報について検索するための工業所有権に関する文献情報検索システムであって、
検索対象の前記所定の文献情報を特定する固有の情報である文献固有情報を有し前記所定の文献情報について検索の実施を要求する検索要求情報を生成する検索要求手段と、検索結果を出力する出力手段と、を備えた端末装置と、
前記端末装置がネットワークを介して送受信可能に接続され、前記頒布される文献情報の頒布の形態に関する文献種別情報および前記項目内容情報を読み取る読取手段と、前記文献種別情報の優先順位に関する優先度情報が前記項目毎に設定された読取マスタデータを記憶する記憶手段と、前記端末装置からの前記検索要求情報を認識することにより、前記読み取った文献種別情報に基づいて前記読取マスタデータの優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を、前記端末装置の出力手段にて前記検索結果として出力可能に生成する情報統括処理手段と、を備えたサーバ装置と、
を具備したことを特徴とした工業所有権に関わる文献情報検索システム。
【請求項１２】
工業所有権に関わる項目の内容に関する項目内容情報を複数有し頒布される文献情報について演算手段により検索する工業所有権に関わる文献情報検索方法であって、
前記演算手段は、
前記頒布される文献情報の頒布の形態に関する文献種別情報および前記項目内容情報を読み取り、
前記請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、
この読み取った項目内容情報を前記文献情報毎に１つのレコードとして関連付けられたテーブル構造の最新文献情報を報知可能に生成する
ことを特徴とする工業所有権に関わる文献情報検索方法。
【請求項１３】
工業所有権に関わる項目の内容に関する項目内容情報を複数有し頒布される文献情報について演算手段により検索する工業所有権に関わる文献情報検索方法であって、
前記演算手段は、
所定の前記文献情報を特定する固有の情報である文献固有情報を有し前記所定の文献情報について検索の実施を要求する検索要求情報を取得し、
この取得した検索要求情報に基づいて、前記頒布される文献情報の頒布の形態に関する文献種別情報および前記項目内容情報を読み取って前記請求項１または請求項２に記載の工業所有権に関わる文献情報の検索データ構造または請求項３に記載の工業所有権に関わる文献情報の検索データ構造を記録した記録媒体に記録された検索データ構造の優先度情報の優先順位にしたがって前記頒布される文献情報の項目内容情報を読み取って前記文献情報毎に１つのレコードとして関連付けたテーブル構造に生成した最新文献情報のうち、前記検索要求情報に含まれる文献固有情報と同一の文献固有情報を有した最新文献情報を報知する
ことを特徴とする工業所有権に関わる文献情報検索方法。
【請求項１４】
工業所有権に関わる項目の内容に関する項目内容情報を複数有し頒布される文献情報について演算手段により検索する工業所有権に関わる文献情報検索方法であって、
前記演算手段により、
前記頒布される文献情報の頒布の形態に関する文献種別情報および前記項目内容情報を読み取り、
この読み取った文献種別情報に基づいて前記文献種別情報の優先順位に関する優先度情報が前記項目毎に設定された読取マスタデータの前記優先度情報にしたがって前記頒布される文献情報の項目内容情報を読み取らせ、この読み取った項目内容情報を前記文献情報毎に１つのレコードとして関連付けられたテーブル構造の最新文献情報を報知可能に生成する
ことを特徴とする工業所有権に関わる文献情報検索方法。
【請求項１５】
工業所有権に関わる項目の内容に関する項目内容情報を複数有し頒布される文献情報について演算手段により検索する工業所有権に関わる文献情報検索方法であって、
前記演算手段は、
所定の前記文献情報を特定する固有の情報である文献固有情報を有し前記所定の文献情報について検索の実施を要求する検索要求情報を取得し、
この取得した検索要求情報に基づいて、前記頒布される文献情報の頒布の形態に関する文献種別情報および前記項目内容情報を読み取ってこの読み取った文献種別情報に基づいて前記文献種別情報の優先順位に関する優先度情報が前記項目毎に設定された読取マスタデータの前記優先度情報にしたがって前記頒布される文献情報の項目内容情報を読み取って前記文献情報毎に１つのレコードとして関連付けたテーブル構造に生成した最新文献情報のうち、前記検索要求情報に含まれる文献固有情報と同一の文献固有情報を有した最新文献情報を報知する
ことを特徴とする工業所有権に関わる文献情報検索方法。
【請求項１６】
工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、
前記サーバ装置は、
前記端末装置から前記ネットワークを介して検索対象の前記所定の文献情報を特定する固有の情報である文献固有情報を有し前記所定の文献情報について検索の実施を要求する検索要求情報を取得し、
この取得した検索要求情報に基づいて、前記頒布される文献情報の頒布の形態に関する文献種別情報および前記項目内容情報を読み取って前記請求項１または請求項２に記載の工業所有権に関わる文献情報の検索データ構造または請求項３に記載の工業所有権に関わる文献情報の検索データ構造を記録した記録媒体に記録された検索データ構造の優先度情報の優先順位にしたがって前記頒布される文献情報の項目内容情報を読み取って前記文献情報毎に１つのレコードとして関連付けたテーブル構造に生成した最新文献情報のうち、前記検索要件情報に含まれる文献固有情報と同一の文献固有情報を有した最新文献情報を、前記ネットワークを介して前記端末装置へ検索結果として出力可能に出力する
ことを特徴とする工業所有権に関わる文献情報検索方法。
【請求項１７】
工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、
前記サーバ装置は、
前記端末装置から前記ネットワークを介して検索対象の前記所定の文献情報を特定する固有の情報である文献固有情報を有し前記所定の文献情報について検索の実施を要求する検索要求情報を取得し、
この取得した検索要求情報に基づいて、前記頒布される文献情報の頒布の形態に関する文献種別情報および前記項目内容情報を読み取って前記文献種別情報の優先順位に関する優先度情報が前記項目毎に設定された読取マスタデータの前記優先度情報にしたがって前記頒布される文献情報の項目内容情報を読み取って前記文献情報毎に１つのレコードとして関連付けたテーブル構造に生成した最新文献情報のうち、前記検索要件情報に含まれる文献固有情報と同一の文献固有情報を有した最新文献情報を、前記ネットワークを介して前記端末装置へ検索結果として出力可能に出力する
ことを特徴とする工業所有権に関わる文献情報検索方法。
【請求項１８】
請求項１２ないし請求項１７のいずれかに記載の工業所有権に関わる文献情報検索方法を演算手段に実行させる
ことを特徴とした工業所有権に関わる文献情報検索プログラム。
【請求項１９】
請求項１８に記載の工業所有権に関わる文献検索プログラムが演算手段にて読み取り可能に記録された
ことを特徴とした工業所有権に関わる文献情報検索プログラムを記録した記録媒体。
【発明の詳細な説明】
【技術分野】
【０００１】
本発明は、工業所有権に関わる文献情報を検索するための工業所有権に関わる文献情報の検索データ構造、このデータ検索構造を記録した記録媒体、その文献情報の検索データ構造を用いて関連する文献情報を検索するための工業所有権に関わる文献情報検索装置、そのシステム、その方法、そのプログラム、および、そのプログラムを記録した記録媒体に関する。
【背景技術】
【０００２】
従来、特許や実用新案、意匠、商標などの工業所有権に関する文献情報を検索する各種検索方法が知られている。例えば、文献情報の出願日や出願人などの検索項目に基づいて、文献情報を蓄積するデータベースから検索対象の文献情報を取得する構成などが取られている。この取得した文献情報として、例えば分割や出願変更などにより出願されたものであれば、原出願に関する出願番号などの関連した文献情報を合わせて取得できるように関連する文献情報に、元の文献情報を１つのレコードとして関連付けたデータ構造とする構成も知られている。また、所定の文献情報に対しての引用文献を検索する構成も知られている（例えば、特許文献１参照）。
【０００３】
この特許文献１に記載のものは、所定の記憶媒体に記憶されている特許情報から引用文献を検索し、この検索した引用文献に対する更なる引用文献を検索する動作を繰り返し、引用文献の引用期間と引用頻度に応じたランキングとに基づいて重要文献リストを作成する構成が採られている。
【０００４】
【特許文献１】特開２０００−１４８７８９号公報（第３頁右欄〜第５頁右欄）
【発明の開示】
【発明が解決しようとする課題】
【０００５】
しかしながら、上述したような従来の検索方法では、例えば原出願についての文献情報は、分割や出願変更などがされた文献情報に対して時系列で古い情報であることから、時系列で新しい文献情報については、認識できない。すなわち、分割や出願変更などされた文献情報を確認して関連する原出願の文献情報を認識する必要がある。また、その文献情報について、審査状況や審判状況など、他の項目について検索する場合には、それぞれの情報に関して検索することで、最新の状況が認識できる。このため、工業所有権に関する文献情報のより有用な利用のために関連する文献情報を容易に認識できる構成が望まれている。
【０００６】
本発明の目的は、このような点に鑑みて、工業所有権に関わる文献情報に関連する文献情報の認識が簡単な構成で容易な工業所有権に関わる文献情報の検索データ構造、この検索データ構造を記録した記録媒体、工業所有権に関わる文献情報検索装置、そのシステム、その方法、そのプログラム、および、そのプログラムを記録した記録媒体を提供することである。
【課題を解決するための手段】
【０００７】
本発明の工業所有権に関わる文献情報の検索データ構造は、工業所有権に関わる項目の内容に関する項目内容情報を複数有し頒布される文献情報について検索するための工業所有権に関わる文献情報の検索データ構造であって、前記頒布される文献情報の頒布の形態に関する文献種別情報が前記項目毎に設定されるとともに、前記文献情報の項目内容情報を読み取る優先順位を前記文献情報の頒布の形態により表された優先度情報が前記項目毎に設定されたテーブル構造であることを特徴とする。
【０００８】
この発明では、工業所有権に関わる項目の内容に関する項目内容情報を複数有し頒布される文献情報の頒布の形態に関する文献種別情報を各項目毎に設定するとともに、文献情報の項目内容情報を読み取る優先順位を文献情報の頒布の形態により表された優先度情報を各項目毎に設定したテーブル構造に構成する。このことにより、文献情報の各項目内容情報が文献情報の頒布のたびに最新のものとして取得することが簡単なデータ構造で可能となり、文献情報の最新の内容の確認が容易となる検索が容易で迅速に得られる。
【０００９】
そして、本発明では、請求項１に記載の工業所有権に関わる文献情報の検索データ構造であって、前記項目は、出願手続における書誌的事項および前記文献情報の経過状況の少なくともいずれか一方である構成とすることが好ましい。このことにより、工業所有権に関わる文献情報の最新の書誌的事項や経過状況の確認が容易となる検索が容易に得られ、工業所有権の有効利用が容易に得られる。
【００１０】
一方、本発明の工業所有権に関わる文献情報の検索データ構造を記録した記録媒体は、請求項１または請求項２に記載の工業所有権に関わる文献情報の検索データ構造が演算手段にて読み取り可能に記録されたことを特徴とする。
【００１１】
この発明では、請求項１または請求項２に記載の工業所有権に関わる文献情報の検索データ構造を記録している。このことにより、工業所有権に関わる文献情報の最新の状態の簡単なデータ構造で容易に迅速な検索が容易に得られ、利用の拡大が容易に図れる。
【００１２】
また、本発明の工業所有権に関わる文献情報検索装置は、工業所有権に関わる項目の内容に関する項目内容情報を複数有し頒布される文献情報について検索するための工業所有権に関わる文献情報検索装置であって、前記頒布される文献情報における頒布の形態に関する文献種別情報および前記項目内容情報を読み取る読取手段と、請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を報知可能に生成する情報統括処理手段と、を具備したことを特徴とする。
【００１３】
この発明では、読取手段にて頒布される文献情報における頒布の形態に関する文献種別情報および文献情報の項目内容情報を読み取り、情報統括処理手段により、請求項１または請求項２に記載の工業所有権に関わる文献情報の検索データ構造、または、請求項３に記載の工業所有権に関わる文献情報を記録した記録媒体に記録された検索データ構造を用い、これら検索データ構造の優先度情報の優先順位にしたがって、頒布される文献情報の項目内容情報を読取手段にて読み取らせ、この読み取った項目内容情報を文献情報毎に１つのレコードとして関連付けたテーブル構造の最新文献情報を報知可能に生成する。このことにより、文献情報の各項目内容情報が文献情報の頒布のたびに最新の最新文献情報として構成され、簡単なデータ構造で文献情報の最新の内容の確認が容易な検索が容易で迅速に得られる。
【００１４】
さらに、本発明の工業所有権に関わる文献情報検索装置は、工業所有権に関わる項目の内容に関する項目内容情報を複数有し頒布される文献情報について検索するための工業所有権に関わる文献情報検索装置であって、前記頒布される文献情報の頒布の形態に関する文献種別情報および前記項目内容情報を読み取る読取手段と、前記文献種別情報の優先順位に関する優先度情報が前記項目毎に設定された読取マスタデータを記憶する記憶手段と、前記読み取った文献種別情報に基づいて前記読取マスタデータの優先度情報の優先順位にしたがって前記頒布される文献情報の項目内容情報を前記読取手段にて読み取らせて、この読み取った項目内容情報を前記文献情報毎に１つのレコードとして関連付けたテーブル構造の最新文献情報を報知可能に生成する情報統括処理手段と、を具備したことを特徴とする。
【００１５】
この発明では、読取手段にて頒布される文献情報における頒布の形態に関する文献種別情報および文献情報の項目内容情報を読み取り、情報統括処理手段により、記憶手段に記憶され文献種別情報の優先順位に関する優先度情報が項目毎に設定された読取マスタデータの優先度情報の優先順位にしたがって、読み取った文献種別情報に基づいて頒布される文献情報の項目内容情報を読取手段にて読み取らせ、この読み取った項目内容情報を文献情報毎に１つのレコードとして関連付けたテーブル構造の最新文献情報を報知可能に生成する。このことにより、文献情報の各項目内容情報が文献情報の頒布のたびに最新の最新文献情報として構成され、簡単なデータ構造で文献情報の最新の内容の確認が容易な検索が容易で迅速に得られる。
【００１６】
そして、本発明では、請求項４または請求項５に記載の工業所有権に関わる文献情報検索装置であって、前記頒布される文献情報を蓄積する蓄積手段を具備し、前記情報統括処理手段は、前記蓄積される文献情報における同一の文献情報の項目内容情報についての前記優先度情報の最も優先される優先順位となる前記項目内容情報を選出して前記文献情報毎に１つのレコードとして関連付けたテーブル構造の最新文献情報を生成する構成とすることが好ましい。このことにより、頒布される文献情報を蓄積手段に蓄積し、この蓄積される文献情報における同一の文献情報の項目内容情報について、優先度情報の最も優先される優先順位の項目内容情報を選出して最新文献情報を生成することで、最新の項目内容情報を選出することが容易となるとともに、迅速に最新の項目内容情報を選出することが容易に得られ、最新の内容についての文献情報の検索が容易に得られる。
【００１７】
また、本発明では、請求項４または請求項５に記載の工業所有権に関わる文献情報検索装置であって、前記頒布される文献情報を蓄積する蓄積手段を具備し、前記情報統括処理手段は、前記読取手段にて前記頒布された文献情報を読み取った際、前記読み取った文献情報の項目内容情報と、この文献情報の頒布の形態と異なり前記蓄積された同一の文献情報の項目内容情報とにおける前記優先度情報の最も優先される優先順位となる前記項目内容情報を選出して前記文献情報毎に１つのレコードとして関連付けたテーブル構造の最新文献情報を生成する構成とすることが好ましい。このことにより、読取手段にて頒布された文献情報を読み取った際に、この文献情報の項目内容情報と、この文献情報の頒布の形態が異なりあらかじめ蓄積手段に蓄積された同一の文献情報の項目内容情報とにおいて、優先度情報の最も優先される優先順位の項目内容情報を選出して最新文献情報を生成することで、最新の項目内容情報を選出することが容易となるとともに、迅速に最新の項目内容情報を選出することが容易に得られ、最新の内容についての文献情報の検索が容易に得られる。
【００１８】
さらに、本発明では、請求項６または請求項７に記載の工業所有権に関わる文献情報検索装置であって、前記蓄積手段は、頒布される文献情報の頒布の形態毎に前記文献情報を蓄積する複数の蓄積領域を有し、前記情報統括処理手段は、前記蓄積領域の頒布の形態に基づいてこれら蓄積領域に蓄積された文献情報の項目内容情報の優先度情報により優先順位を認識し、最も優先される項目内容情報により前記最新文献情報を生成する構成とすることが好ましい。このことにより、情報統括処理手段により、頒布される文献情報の頒布の形態毎に頒布される文献情報をそれぞれ蓄積する複数の蓄積領域における頒布の形態に基づいて、蓄積領域に蓄積された文献情報の項目内容情報の優先度情報により優先順位を認識し、最も優先される項目内容情報により最新文献情報を生成させるので、頒布される文献情報の蓄積や管理が容易となるとともに、蓄積した文献情報を利用して最新の項目内容情報にて構成した文献情報の検索が容易に得られ、構成の簡略化が容易に図れる。
【００１９】
また、本発明では、請求項４または請求項５に記載の工業所有権に関わる文献情報検索装置であって、前記生成された最新文献情報を蓄積する蓄積手段を具備し、前記情報統括処理手段は、最新文献情報の項目内容情報の優先順位より前記読み取った項目内容情報の優先順位が優先すると判断すると、その優先する前記読み取った項目内容情報を前記最新項目情報の項目内容情報として更新する構成とすることが好ましい。このことにより、情報統括処理手段により、あらかじめ生成されて蓄積手段に蓄積された最新文献情報の項目内容情報における優先順位より、読取手段にて読み取った頒布される文献情報の項目内容情報における優先順位が優先すると判断した場合に、その読み取った項目内容情報を最新文献情報の項目内容情報として更新させるので、簡単な構成で文献情報が最新の状態で維持され、最新の内容についての文献情報の検索が容易に得られる。
【００２０】
また、本発明の工業所有権に関わる文献情報検索システムは、工業所有権に関わる項目の内容に関する項目内容情報を複数有し頒布される文献情報について検索するための工業所有権に関わる文献情報検索システムであって、検索対象の前記所定の文献情報を特定する固有の情報である文献固有情報を有し前記所定の文献情報について検索の実施を要求する検索要求情報を生成する検索要求手段と、検索結果を出力する出力手段と、を備えた端末装置と、前記端末装置がネットワークを介して送受信可能に接続され、前記頒布される文献情報の頒布の形態に関する文献種別情報および前記項目内容情報を読み取る読取手段と、前記端末装置からの前記検索要求情報を認識することにより、請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を、前記端末装置の出力手段にて前記検索結果として出力可能に生成する情報統括処理手段と、を備えたサーバ装置と、を具備したことを特徴とする。
【００２１】
この発明では、端末装置の検索要求手段にて生成され所定の文献情報を特定する固有の情報である文献情報を有しこの所定の文献情報について検索を要求する端末装置からの検索要求情報をネットワークを介して認識すると、サーバ装置の情報統括処理手段により、請求項１または請求項２に記載の工業所有権に関わる文献情報の検索データ構造、または、請求項３に記載の記録媒体に記録された工業所有権に関わる文献情報の検索データ構造を用い、これら検索データ構造の優先度情報の優先順位にしたがって頒布される文献情報の項目内容情報を読取手段にて読み取らせ、この読み取った項目内容情報を文献情報毎に１つのレコードとして関連付けたテーブル構造で、ネットワークを介して端末装置の出力手段にて検索結果として出力可能に最新文献情報を生成する。このことにより、文献情報の各項目内容情報が文献情報の頒布のたびに最新の最新文献情報として構成され、簡単なデータ構造で文献情報の最新の内容の確認が容易な検索が容易で迅速に得られるとともに、文献情報の検索データ構造を端末装置に設ける必要がなく、検索もサーバ装置にて実施するので、簡単な端末装置の構成でも、文献情報の関連に関する検索が容易に得られ、利用の拡大が容易に図れる。
【００２２】
さらに、本発明の工業所有権に関わる文献情報検索システムは、工業所有権に関わる項目の内容に関する項目内容情報を複数有し頒布される文献情報について検索するための工業所有権に関する文献情報検索システムであって、検索対象の前記所定の文献情報を特定する固有の情報である文献固有情報を有し前記所定の文献情報について検索の実施を要求する検索要求情報を生成する検索要求手段と、検索結果を出力する出力手段と、を備えた端末装置と、前記端末装置がネットワークを介して送受信可能に接続され、前記頒布される文献情報の頒布の形態に関する文献種別情報および前記項目内容情報を読み取る読取手段と、前記文献種別情報の優先順位に関する優先度情報が前記項目毎に設定された読取マスタデータを記憶する記憶手段と、前記端末装置からの前記検索要求情報を認識することにより、前記読み取った文献種別情報に基づいて前記読取マスタデータの優先度情報の優先順位にしたがって前記頒布される文献情報の項目内容情報を前記読取手段にて読み取らせ、この読み取った項目内容情報を前記文献情報毎に１つのレコードとして関連付けたテーブル構造の最新文献情報を、前記端末装置の出力手段にて前記検索結果として出力可能に生成する情報統括処理手段と、を備えたサーバ装置と、を具備したことを特徴とする。
【００２３】
この発明では、端末装置の検索要求手段にて生成され所定の文献情報を特定する固有の情報である文献情報を有しこの所定の文献情報について検索を要求する端末装置からの検索要求情報をネットワークを介して認識すると、サーバ装置の情報統括処理手段により、読取手段にて読み取った文献種別情報に基づいて、記憶手段に記憶され文献種別情報の優先順位に関する優先度情報が項目毎に設定された読取マスタデータにおける優先度情報の優先順位にしたがって頒布される文献情報の項目内容情報を読取手段にて読み取らせ、この読み取った項目内容情報を文献情報毎に１つのレコードとして関連付けたテーブル構造で、ネットワークを介して端末装置の出力手段にて検索結果として出力可能に最新文献情報を生成する。このことにより、文献情報の各項目内容情報が文献情報の頒布のたびに最新の最新文献情報として構成され、簡単なデータ構造で文献情報の最新の内容の確認が容易な検索が容易で迅速に得られるとともに、文献情報の検索データ構造を端末装置に設ける必要がなく、検索もサーバ装置にて実施するので、簡単な端末装置の構成でも、文献情報の関連に関する検索が容易に得られ、利用の拡大が容易に図れる。
【００２４】
また、本発明の工業所有権に関わる文献情報検索方法は、工業所有権に関わる項目の内容に関する項目内容情報を複数有し頒布される文献情報について演算手段により検索する工業所有権に関わる文献情報検索方法であって、前記演算手段は、前記頒布される文献情報の頒布の形態に関する文献種別情報および前記項目内容情報を読み取り、前記請求項１または請求項２に記載の工業所有権に関わる文献情報の検索データ構造、または、請求項３に記載の工業所有権に関わる文献情報の検索データ構造を記録した記録媒体に記録された検索データ構造を用い、これら検索データ構造の優先度情報の優先順位にしたがって前記頒布される文献情報の項目内容情報を前記読取手段にて読み取らせ、この読み取った項目内容情報を前記文献情報毎に１つのレコードとして関連付けられたテーブル構造の最新文献情報を報知可能に生成することを特徴とする。
【００２５】
この発明では、請求項４に記載の工業所有権に関わる文献情報検索装置の動作を、演算手段により実施する方法に展開したもので、演算手段により、頒布される文献情報の頒布の携帯に関する文献種別情報および項目内容情報を読み取り、請求項１または請求項２に記載の工業所有権に関わる文献情報の検索データ構造、または、請求項３に記載の工業所有権に関わる文献情報の検索データ構造を記録した記録媒体に記録された検索データ構造における優先度情報の優先順位にしたがって、頒布される文献情報の項目内容情報を読取手段にて読み取らせ、この読み取った項目内容情報を文献情報毎に１つのレコードとして関連付けたテーブル構造の最新文献情報を報知可能に生成する。このことにより、請求項４に記載の発明と同様の作用効果を奏する。
【００２６】
さらに、本発明の工業所有権に関わる文献情報検索方法は、工業所有権に関わる項目の内容に関する項目内容情報を複数有し頒布される文献情報について演算手段により検索する工業所有権に関わる文献情報検索方法であって、前記演算手段は、所定の前記文献情報を特定する固有の情報である文献固有情報を有し前記所定の文献情報について検索の実施を要求する検索要求情報を取得し、この取得した検索要求情報に基づいて、前記頒布される文献情報の頒布の形態に関する文献種別情報および前記項目内容情報を読み取って前記請求項１または請求項２に記載の工業所有権に関わる文献情報の検索データ構造または請求項３に記載の工業所有権に関わる文献情報の検索データ構造を記録した記録媒体に記録された検索データ構造の優先度情報の優先順位にしたがって前記頒布される文献情報の項目内容情報を読み取って前記文献情報毎に１つのレコードとして関連付けたテーブル構造に生成した最新文献情報のうち、前記検索要求情報に含まれる文献固有情報と同一の文献固有情報を有した最新文献情報を報知することを特徴とする。
【００２７】
この発明では、所定の前記文献情報を特定する固有の情報である文献固有情報を有し所定の文献情報について検索の実施を要求する検索要求情報を認識すると、請求項４に記載の工業所有権に関わる文献情報検索装置の動作を演算手段により実施する方法により生成した最新文献情報のうち、検索要求情報に含まれる文献固有情報と同一の文献固有情報を有した最新文献情報を報知する。このことにより、文献情報の各項目内容情報が文献情報の頒布のたびに最新の状態に生成された最新文献情報を容易に認識可能で、簡単なデータ構造で文献情報の最新の内容の確認が容易で迅速に得られる。
【００２８】
また、本発明の工業所有権に関わる文献情報検索方法は、工業所有権に関わる項目の内容に関する項目内容情報を複数有し頒布される文献情報について演算手段により検索する工業所有権に関わる文献情報検索方法であって、前記演算手段により、前記頒布される文献情報の頒布の形態に関する文献種別情報および前記項目内容情報を読み取り、この読み取った文献種別情報に基づいて前記文献種別情報の優先順位に関する優先度情報が前記項目毎に設定された読取マスタデータの前記優先度情報にしたがって前記頒布される文献情報の項目内容情報を読み取らせ、この読み取った項目内容情報を前記文献情報毎に１つのレコードとして関連付けられたテーブル構造の最新文献情報を報知可能に生成することを特徴とする。
【００２９】
この発明は、請求項５に記載の工業所有権に関わる文献情報検索装置の動作を、演算手段により実施する方法に展開したもので、演算手段により、頒布される文献情報の頒布の携帯に関する文献種別情報および項目内容情報を読み取り、この読み取った文献種別情報に基づいて文献種別情報の優先順位に関する優先度情報が項目毎に設定された読取マスタデータの優先度情報にしたがって、頒布される文献情報の項目内容情報を読み取らせ、この読み取った項目内容情報を文献情報毎に１つのレコードとして関連付けたテーブル構造の最新文献情報を報知可能に生成する。このことにより、請求項５に記載の発明と同様の作用効果を奏する。
【００３０】
さらに、本発明の工業所有権に関わる文献情報検索方法は、工業所有権に関わる項目の内容に関する項目内容情報を複数有し頒布される文献情報について演算手段により検索する工業所有権に関わる文献情報検索方法であって、前記演算手段は、所定の前記文献情報を特定する固有の情報である文献固有情報を有し前記所定の文献情報について検索の実施を要求する検索要求情報を取得し、この取得した検索要求情報に基づいて、前記頒布される文献情報の頒布の形態に関する文献種別情報および前記項目内容情報を読み取ってこの読み取った文献種別情報に基づいて前記文献種別情報の優先順位に関する優先度情報が前記項目毎に設定された読取マスタデータの前記優先度情報にしたがって前記頒布される文献情報の項目内容情報を読み取って前記文献情報毎に１つのレコードとして関連付けたテーブル構造に生成した最新文献情報のうち、前記検索要求情報に含まれる文献固有情報と同一の文献固有情報を有した最新文献情報を報知することを特徴とする。
【００３１】
この発明では、所定の前記文献情報を特定する固有の情報である文献固有情報を有し所定の文献情報について検索の実施を要求する検索要求情報を認識すると、請求項５に記載の工業所有権に関わる文献情報検索装置の動作を演算手段により実施する方法により生成した最新文献情報のうち、検索要求情報に含まれる文献固有情報と同一の文献固有情報を有した最新文献情報を報知する。このことにより、文献情報の各項目内容情報が文献情報の頒布のたびに最新の状態に生成された最新文献情報を容易に認識可能で、簡単なデータ構造で文献情報の最新の内容の確認が容易で迅速に得られる。
【００３２】
また、本発明の工業所有権に関わる文献情報検索方法は、工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、前記サーバ装置は、前記端末装置から前記ネットワークを介して検索対象の前記所定の文献情報を特定する固有の情報である文献固有情報を有し前記所定の文献情報について検索の実施を要求する検索要求情報を取得し、この取得した検索要求情報に基づいて、前記頒布される文献情報の頒布の形態に関する文献種別情報および前記項目内容情報を読み取って前記請求項１または請求項２に記載の工業所有権に関わる文献情報の検索データ構造または請求項３に記載の工業所有権に関わる文献情報の検索データ構造を記録した記録媒体に記録された検索データ構造の優先度情報の優先順位にしたがって前記頒布される文献情報の項目内容情報を読み取って前記文献情報毎に１つのレコードとして関連付けたテーブル構造に生成した最新文献情報を、前記ネットワークを介して前記端末装置へ検索結果として出力可能に出力することを特徴とする。
【００３３】
この発明では、所定の前記文献情報を特定する固有の情報である文献固有情報を有し所定の文献情報について検索の実施を要求する検索要求情報を端末装置からネットワークを介してサーバ装置が認識すると、請求項１０に記載の工業所有権に関わる文献情報検索システムの動作を演算手段により実施する方法によりサーバ装置で生成した最新文献情報のうち、検索要求情報に含まれる文献固有情報と同一の文献固有情報を有した最新文献情報を、ネットワークを介して端末装置へ検出結果として出力可能に出力させる。このことにより、文献情報の各項目内容情報が文献情報の頒布のたびに最新の状態に生成された最新文献情報を容易に認識可能で、簡単なデータ構造で文献情報の最新の内容の確認が容易で迅速に得られるとともに、文献情報のデータ構造を端末装置に設ける必要がなく、検索もサーバ装置にて実施するので、簡単な端末装置の構成でも、文献情報の関連に関する検索が容易に得られ、利用の拡大が容易に図れる。
【００３４】
さらに、本発明の工業所有権に関わる文献情報検索方法は、工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、前記サーバ装置は、前記端末装置から前記ネットワークを介して検索対象の前記所定の文献情報を特定する固有の情報である文献固有情報を有し前記所定の文献情報について検索の実施を要求する検索要求情報を取得し、この取得した検索要求情報に基づいて、前記頒布される文献情報の頒布の形態に関する文献種別情報および前記項目内容情報を読み取って前記文献種別情報の優先順位に関する優先度情報が前記項目毎に設定された読取マスタデータの前記優先度情報にしたがって前記頒布される文献情報の項目内容情報を読み取って前記文献情報毎に１つのレコードとして関連付けたテーブル構造に生成した最新文献情報のうち、前記検索要件情報に含まれる文献固有情報と同一の文献固有情報を有した最新文献情報を、前記ネットワークを介して前記端末装置へ検索結果として出力可能に出力することを特徴とする。
【００３５】
この発明は、所定の前記文献情報を特定する固有の情報である文献固有情報を有し所定の文献情報について検索の実施を要求する検索要求情報を端末装置からネットワークを介してサーバ装置が認識すると、請求項１１に記載の工業所有権に関わる文献情報検索システムの動作を演算手段により実施する方法によりサーバ装置で生成した最新文献情報のうち、検索要求情報に含まれる文献固有情報と同一の文献固有情報を有した最新文献情報を、ネットワークを介して端末装置へ検出結果として出力可能に出力させる。このことにより、文献情報の各項目内容情報が文献情報の頒布のたびに最新の状態に生成された最新文献情報を容易に認識可能で、簡単なデータ構造で文献情報の最新の内容の確認が容易で迅速に得られるとともに、文献情報の検索データ構造を端末装置に設ける必要がなく、検索もサーバ装置にて実施するので、簡単な端末装置の構成でも、文献情報の関連に関する検索が容易に得られ、利用の拡大が容易に図れる。
【００３６】
そして、本発明の工業所有権に関わる文献情報検索プログラムは、請求項１２ないし請求項１７のいずれかに記載の工業所有権に関わる文献情報検索方法を演算手段に実行させることを特徴とする。
【００３７】
この発明では、例えば汎用のコンピュータなどを演算手段として利用しインストールすることにより請求項１２ないし請求項１７に記載のいずれかに記載の工業所有権に関わる文献情報検索方法が演算手段に実行されるので、本発明の利用促進が大幅に図れる。
【００３８】
また、本発明の工業所有権に関わる文献情報検索プログラムを記録した記録媒体は、請求項１８に記載の工業所有権に関わる文献情報検索プログラムが演算手段にて読み取り可能に記録されたことを特徴とする。
【００３９】
この発明では、請求項１２ないし請求項１７のいずれかに記載の工業所有権に関わる文献情報検索方法を実行させるための請求項１８に記載の工業所有権に関わる文献情報検索プログラムを記録媒体に記録するので、工業所有権に関わる文献情報検索プログラムの取扱が容易で、本発明の利用促進が大幅に図れる。
【００４０】
そして、本発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含むものである。
【発明を実施するための最良の形態】
【００４１】
〔文献情報検索システムの構成〕
以下、本発明の一実施の形態に係る文献情報検索システムの構成について図面に基づいて説明する。本実施の形態では、工業所有権として特許、実用新案および意匠に関わる文献情報について検索するための構成について例示するが、その他、例えば商標など、工業所有権に関わる他のいずれの文献情報についても適用できる。図１は、本実施の形態における文献情報検索システムの概略構成を示す概念図である。図２は、文献情報検索システムを構成する端末装置の概略構成を示すブロック図である。図３は、文献情報検索システムを構成するサーバ装置の概略構成を示すブロック図である。図４は、読取マスタデータのテーブルデータであるデータ構造を示す模式図である。
【００４２】
図１において、１００は文献情報検索システムで、この文献情報検索システム１００は、例えば特許、実用新案および意匠などの工業所有権に関わる文献に関する文献情報を検索するためのシステムである。この文献情報検索システム１００は、端末装置２００と、この端末装置２００にネットワーク１１０を介して各種情報を送受信可能に接続される文献情報検索装置としても機能するサーバ装置３００と、を備えている。
【００４３】
ここで、ネットワーク１１０としては、サーバ装置３００と端末装置２００との間を、各種データを送受信可能に接続する。このネットワーク１１０は、ＴＣＰ／ＩＰ（Transmission Control Protocol/Internet Protocol）などの汎用のプロトコルに基づくインターネット、ＬＡＮ（Local Area Network）などのイントラネット、無線媒体により情報が送受信可能な複数の基地局がネットワークを構成する通信回線網や放送網などのネットワーク、さらには、データを直接送受信するための媒体となる無線媒体自体など、データを送受信させるいずれの構成が利用できる。ここで、無線媒体としては、電波、光、音波、電磁波などのいずれの媒体をも適用できる。
【００４４】
端末装置２００は、例えばパーソナルコンピュータやオフィスコンピュータなどが例示できる。そして、端末装置２００は、例えば図２に示すように、端末通信手段２１０と、端末入力手段２２０と、出力手段としての端末表示手段２３０と、端末記憶手段２４０と、端末処理手段２５０と、を備えている。
【００４５】
端末通信手段２１０は、ネットワーク１１０を介してサーバ装置３００に接続される。この端末通信手段２１０は、ネットワーク１１０を介してサーバ装置３００から端末信号を受信可能で、この端末信号の取得によりあらかじめ設定されている入力インターフェース処理を実施し、処理端末信号として端末処理手段２５０に出力する。また、端末通信手段２１０は、端末処理手段２５０から処理端末信号が入力可能で、この入力される処理端末信号の取得によりあらかじめ設定されている出力インターフェース処理を実施し、端末信号としてネットワーク１１０を介してサーバ装置３００に送信する。
【００４６】
端末入力手段２２０は、例えばキーボードやマウスなどで、検索を実施する利用者により入力操作される図示しない各種操作ボタンや操作つまみなどを有している。これら操作ボタンや操作つまみなどの入力操作としては、端末装置２００の動作内容を設定する各種動作設定項目の入力操作の他、文献情報を検索するための条件項目の入力操作などである。そして、端末入力手段２２０は、入力操作に対応した所定の信号を端末処理手段２５０へ適宜出力して設定させる。なお、この端末入力手段２２０としては、操作ボタンや操作つまみなどの入力操作に限らず、例えば端末表示手段２３０に設けられたタッチパネルによる入力操作や、音声による入力操作など、各種入力事項を設定入力可能ないずれの構成が適用できる。
【００４７】
端末表示手段２３０は、端末処理手段２５０にて制御され端末処理手段２５０からの画像データを画面表示させる。画像データとしては、例えば文献情報に関する各種検索のための条件項目の入力を促す画面表示、検索した文献情報に関する情報を表示する画面表示などの他、端末装置２００の動作内容や他のアプリケーションソフトウェアに関する画像データなど、各種画像データが表示可能である。この端末表示手段２３０としては、種々のディスプレイが挙げられ、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００４８】
端末記憶手段２４０は、ネットワーク１１０を介してサーバ装置３００から取得した各種情報や、端末入力手段２２０で入力操作される入力事項の他、外部から取得した各種情報をも適宜記憶する。また、端末記憶手段２４０には、端末装置２００全体を動作制御するＯＳ（Operating System）上に展開される各種プログラムなどを記憶する。なお、端末記憶手段２４０としては、ＨＤ（Hard Disk）や光ディスク、メモリなどの記録媒体に読み出し可能に記憶するドライブやドライバなどを備えた構成などが例示できる。
【００４９】
端末処理手段２５０は、図示しない各種入出力ポート、例えば端末通信手段２１０が接続される通信制御ポート、端末入力手段２２０が接続されるキー入力ポート、端末表示手段２３０が接続される表示部制御ポート、印刷出力する図示しない出力手段としての印刷装置が接続可能な印刷制御ポート、端末記憶手段２４０が接続される記憶ポートなどを有する。そして、端末処理手段２５０は、各種プログラムとして、検索対象設定手段２５１と、検索要求手段２５２と、検索結果取得手段２５３と、出力制御手段２５４と、などを備えている。
【００５０】
検索対象設定手段２５１は、端末入力手段２２０による入力操作にて入力された情報に基づいて、検索対象の文献情報を設定する。具体的には、所定の入力操作にて端末入力手段２２０から文献情報を特定する固有の情報である文献固有情報としての出願番号に対応した信号が出力され、この出力される出願番号に対応した信号に基づいて検索対象の文献固有情報を設定する。
【００５１】
検索要求手段２５２は、端末入力手段２２０による入力操作にて入力された情報に基づいて、検索対象設定手段２５１にて設定した文献固有情報に対応する所定の文献情報についての検索の実行をサーバ装置３００に要求する旨の検索要求情報を生成する。すなわち、検索要求情報には、検索対象の所定の文献情報に関する文献固有情報と、この所定の文献情報を検索する条件である検索条件情報、検索を要求する利用者や端末装置２００を特定する顧客情報などを有した情報として生成される。そして、検索要求手段２５２は、生成した検索要求情報を端末通信手段２１０によりネットワーク１１０を介してサーバ装置３００へ送信する。
【００５２】
検索結果取得手段２５３は、ネットワーク１１０を介して端末通信手段２１０によりサーバ装置３００から取得した検索結果情報を取得する。この取得した検索結果情報は、端末記憶手段２４０や図示しないメモリなどに適宜記憶される。
【００５３】
出力制御手段２５４は、端末入力手段２２０による入力操作にて設定された出力状況に基づいて、検索結果取得手段２５３にて取得した検索結果情報を適宜処理し、端末表示手段２３０で表示させたり、図示しない接続された印刷装置にて印刷出力させたりする検索結果情報の出力制御をする。
【００５４】
サーバ装置３００は、ネットワーク１１０を介して端末装置２００と各種情報の送受信が可能となっている。このサーバ装置３００は、例えば図３に示すように、サーバ通信手段３１０と、サーバ入力手段３２０と、サーバ表示手段３３０と、読取手段としてのサーバ読取手段３４０と、記憶手段として機能するサーバ記憶手段３５０と、サーバ処理手段３６０と、などを備えている。
【００５５】
サーバ通信手段３１０は、ネットワーク１１０を介して入力されるサーバ信号に対してあらかじめ設定されている入力インターフェース処理を実行し、処理サーバ信号としてサーバ処理手段３６０へ出力する。また、サーバ通信手段３１０は、サーバ処理手段３６０から端末装置２００に対して送信すべき処理サーバ信号が入力されると、入力された処理サーバ信号に対してあらかじめ設定されている出力インターフェース処理を実行し、サーバ信号としてネットワーク１１０を介して端末装置２００へ出力する。なお、サーバ信号は、処理サーバ信号に記載された情報に基づいて、適宜所定の端末装置２００のみに出力させたり、ネットワーク１１０を介して接続される全ての端末装置２００に出力させたりすることも可能である。
【００５６】
サーバ入力手段３２０は、例えば端末入力手段２２０と同様に、サーバ管理者などにて入力操作される図示しない各種操作ボタンや操作つまみなどを有している。これら操作ボタンや操作つまみなどの入力操作は、サーバ装置３００の動作内容の設定や、サーバ記憶手段３５０に記憶する情報の設定入力、サーバ記憶手段３５０に記憶された情報の更新など、各種の設定事項である。そして、サーバ入力手段３２０は、設定事項の入力操作により、設定事項に対応する信号をサーバ処理手段３６０へ適宜出力して設定入力させる。なお、入力操作としては、端末入力手段２２０と同様に、操作ボタンや操作つまみなどの操作に限られない。
【００５７】
サーバ表示手段３３０は、例えば端末表示手段２３０と同様に、各種表示装置が用いられる。このサーバ表示手段３３０は、サーバ処理手段３６０に接続され、サーバ処理手段３６０の制御によりこのサーバ処理手段３６０から出力される画像データを適宜表示する。
【００５８】
サーバ読取手段３４０は、例えば頒布される整理標準化データや公報類などの各種文献情報の各項目の内容である項目内容情報が記録されたＣＤ−ＲＯＭ（Compact Disc-Read Only Memory）など記録媒体から各種情報、すなわち記録媒体に記録された文献情報の頒布の形態に関する文献種別情報や文献情報の各項目内容情報などを読み取る。具体的には、サーバ読取手段３４０は、工業所有権に関する文献情報が複数記録されたＨＤ（Hard Disk）や光ディスク、メモリなどの記録媒体から文献情報を適宜読み取るドライブやドライバなどを備えた構成などである。なお、サーバ読取手段３４０としては、ドライブやドライバに限らず、例えばネットワーク１１０を介して頒布される文献情報をサーバ通信手段３１０を介して取得する読み取り処理を実施する構成としてもよい。
【００５９】
そして、サーバ読取手段３４０にて読み取る文献種別情報としては、例えば出願手続における書誌的事項として頒布する形態、公開公報類として頒布する形態、登録に関する事項として頒布する形態、審査に関する事項として頒布する形態、異議・審判に関する事項として頒布する形態、引用文献に関する事項として頒布する形態などである。また、項目としては、例えば特許、実用新案、意匠などの四法区分に関する項目、その文献情報の出願番号項目、出願人に関する出願人項目、発明者に関する発明者項目、公開日に関する公開日項目、公開番号に関する公開番号項目、文献情報の国内優先権の主張に関する主張日項目、審判番号に関する審判番号項目、ファミリ関連となる外国出願の出願日に関する外国文献出願日項目など、書誌的事項や審査、審判、登録などにおける各種項目である。
【００６０】
サーバ記憶手段３５０は、文献情報を記憶するとともに、文献情報の関連性に関する関連情報を記憶する。また、サーバ記憶手段３５０は、サーバ装置３００全体および文献情報検索システム１００全体を動作制御するＯＳ上に展開される各種プログラムなどを記憶している。さらに、サーバ記憶手段３５０は、端末装置２００などから受信した各種情報を適宜記憶するとともに、サーバ入力手段３２０にて入力された各種情報を適宜記憶する。具体的には、サーバ記憶手段３５０は、複数の記憶領域、例えば、公開公報発行時データベース３５１と、登録公報発行時データベース３５２と、審査経過情報データベース３５３と、審判経過情報データベース３５４と、登録原簿情報データベース３５５と、最新文献情報データベース３５６と、読取マスタデータベース３５７と、などを備えている。また、サーバ記憶手段３５０には、各種情報をも記憶可能である。
【００６１】
そして、公開公報発行時データベース３５１は、例えば、ＣＤ−ＲＯＭ（Compact Disc-Read Only Memory）で頒布される文献情報として公開公報の形態で開示される各項目内容情報を、文献情報毎に１つのレコードとして記録するテーブル構造である。また、登録公報発行時データベース３５２は、例えば、ＣＤ−ＲＯＭで頒布される文献情報として登録公報の形態で開示される各項目内容情報を、文献情報毎に１つのレコードとして記録するテーブル構造である。さらに、審査経過情報データベース３５３は、例えば、整理標準化データとして頒布される文献情報の審査経過に関する各項目内容情報を、文献情報毎に１つのレコードとして記録するテーブル構造である。また、審判経過情報データベース３５４は、例えば、整理標準化データとして頒布される文献情報の審判経過に関する各項目内容情報を、文献情報毎に１つのレコードとして記録するテーブル構造である。さらに、登録原簿情報データベース３５５は、例えば、整理標準化データとして頒布される文献情報の登録原簿に関する各項目内容情報を、文献情報毎に１つのレコードとして記録するテーブル構造である。これらデータベース３５１〜３５５は、各項目内容情報として頒布される文献情報毎に記憶される。
【００６２】
また、最新文献情報データベース３５６は、文献情報における書誌的事項や経過情報などの文献情報に関する全ての項目において、最新の項目内容情報が文献情報毎に１つのレコードとして記録されたテーブル構造である。すなわち、最新文献情報データベース３５６は、各データベース３５１〜３５５と文献情報毎に関連付けすなわち項目内容情報である出願番号情報でいわゆる紐付け処理され、１つにまとめられたテーブル構造となっている。
【００６３】
また、読取マスタデータベース３５７は、例えば図４に示すような最新文献情報のテーブルデータのデータ構造に対応した読取マスタデータを記憶するテーブル構造である。具体的には、図４に示すように、工業所有権に関わる文献情報を特定する複数の項目毎に、文献情報を構成する複数の項目内容情報のうち、最新の項目内容情報を選出するための選出条件がそれぞれ関連付けられたテーブル構造となっている。この選出条件は、サーバ読取手段３４０にて記録媒体に記録された文献種別情報の頒布の形態で、記録された文献情報の項目内容情報を選出する優先順位を頒布の形態にて表された優先度情報を有している。
【００６４】
すなわち、図４に示すように、文献情報は、複数の分類、例えば、出願手続に関する書誌的事項である出願に関する項目のまとまりである出願記事、公告に関する項目のまとまりである公告記事、登録に関する項目のまとまりである登録記事、優先権に関する項目のまとまりである優先権記事、請求項の数に関する項目のまとまりである請求項の数記事などにて構成されている。そして、出願記事は、例えば、工業所有権の四法区分を示す項目、出願番号の項目、出願日の項目、出願種別の項目、遡及日の項目、公開基準日の種類の項目、公開基準日の項目を有している。他の分類についても同様に、各項目が設けられている。また、分類は、その特性から、頒布される文献情報であって異なる頒布の形態のものでも複数異なる項目内容情報が開示される。すなわち、例えば優先権記事は、所定期間内に複数回の優先権主張が可能であり、時系列において異なる複数の優先権主張出願が存在し得る。また、出願人についても、時系列において譲渡などにより変更や増減などが複数回生じ得る。このように、新たな項目内容情報が適宜開示されることとなる。このため、所定の分類については、図４において丸印で示すように、繰り返し新たな項目内容情報が生じ最新情報としてその度に更新する必要があるか否かの繰り返し有無情報が関連付けられている。
【００６５】
そして、各分類の各項目毎に関連付けられる優先度情報は、図４における最新の構成の欄に示すように設定される。すなわち、例えば、記録媒体に記録された頒布される文献情報として、公開公報発行時データベース３５１に記憶される公開公報に関する情報である場合を「Ａ」、公開公報発行時データベース３５１に記憶される公表公報に関する情報である場合を「Ｔ」、公開公報発行時データベース３５１に記憶される再公表公報に関する情報である場合を「Ｒ」、登録公報発行時データベース３５２に記憶される公告公報に関する情報である場合を「Ｂ」、登録公報発行時データベース３５２に記憶される登録公報に関する情報である場合を「Ｄ」、整理標準化データのうちの出願に関するものを「Ｎ」、整理標準化データのうちの登録に関するものを「Ｃ」、整理標準化データのうちの審判に関するものを「Ｊ」、整理標準化データのうちの引用文献に関するものを「Ｉ」、などと設定した場合、対象となる頒布の形態を「ＡＴＲＢＤＮ」のように並列表記、優先順位がある場合には優先性が高くなるにつれて右側に位置する昇べき順に「、」を介在して「ＡＴＲ、ＢＤ、Ｎ」のように表記、すなわち「ＡＴＲ＜ＢＤ＜Ｎ」の優先順位を示している。
【００６６】
サーバ処理手段３６０は、図示しない各種入出力ポート、例えばサーバ通信手段３１０が接続される通信制御ポート、サーバ入力手段３２０が接続される入力ポート、サーバ表示手段３３０が接続される表示制御ポート、サーバ記憶手段３５０が接続される記憶ポートなどを有している。そして、サーバ処理手段３６０は、図３に示すように、サーバ記憶手段３５０に記憶された各種プログラムとして、対象検索手段３６１と、比較手段３６２と、情報統括処理手段３６３と、検索要求情報取得手段３６４と、文献検索手段３６５と、検索結果生成手段３６６と、報知手段３６７と、課金演算手段３６８と、決済手段３６９と、などを備えている。
【００６７】
対象検索手段３６１は、サーバ読取手段３４０により読み取る項目内容情報のうちの文献情報を特定する固有の文献固有情報と同一の文献固有情報を有した最新文献情報を、サーバ記憶手段３５０の最新文献情報データベース３５６から検索する。すなわち、対象検索手段３６１は、サーバ入力手段３２０の所定の入力操作にて頒布された文献情報を読み取る旨の信号を認識することにより、サーバ読取手段３４０にてその頒布された文献情報の頒布の形態を認識させる。さらに、対象検索手段３６１は、認識した文献種別情報に基づいて、その文献種別情報の頒布の形態が項目内容情報を取得する対象となるサーバ記憶手段３５０の最新文献情報データベース３５６に関連付けられたデータベース３５１〜３５５を検出する。
【００６８】
比較手段３６２は、対象検索手段３６１による検索にて検出された最新文献情報データベース３５６に関連付けられた各データベース３５１〜３５５の各項目内容情報の優先度情報と、サーバ読取手段３４０にて読み取った頒布された文献情報の項目内容情報の優先度情報とを比較する。すなわち、比較手段３６２は、サーバ読取手段３４０にて読み取った項目内容情報の優先度情報における頒布の形態の優先順位が、各テータベース３５１〜３５５の優先度情報における頒布の形態の優先順位より優先順位が高いか否かを判断する。そして、比較手段３６２は、優先順位の比較判断した結果に関する信号を情報統括処理手段へ出力する。
【００６９】
情報統括処理手段３６３は、比較手段３６２による優先度情報の比較判断の結果に基づいて、サーバ読取手段３４０にて読み取った項目内容情報を各データベース３５１〜３５５の対応する項目内容情報として記憶させる更新処理をする。すなわち、サーバ読取手段３４０にて読み取った項目内容情報の優先順位が各テータベース３５１〜３５５の項目内容情報の優先順位より高いと判断した場合、サーバ読取手段３４０にて読み取った項目内容情報は、既に記憶されている最新文献情報データベース３５６に関連付けられている各テータベース３５１〜３５５の項目内容情報より新しい情報であると判断し、読み取った項目内容情報を各テータベース３５１〜３５５の項目内容情報と置換して記憶させる。なお、最新文献情報の項目内容情報の優先度情報が優先する場合には、その読み取った項目内容情報は、古い情報であると判断して更新処理をしない。
【００７０】
具体的には、図４に示すように、繰り返し有無情報がない、すなわち繰り返し無しの優先度情報は、例えば「ＡＴＲ、ＢＤ、Ｎ」の場合、１番優先される優先順位が１番である優先度１の「Ｎ」である場合、読み取った記録媒体が整理標準化データの出願に関するもので、その整理標準化データに含まれる項目内容情報が初期値以外であれば、その項目内容情報を優先して読み取り、最新文献情報の各項目が関連付けられたデータベース３５１〜３５５の項目内容情報に記憶させる。また、優先度１の「Ｎ」の項目内容情報が初期値であり２番目に優先される優先順位が２番である優先度２の「ＢＤ」が初期値以外であれば、その「ＢＤ」の項目内容情報が優先されて読み取られ、同様にデータベース３５１〜３５５に記憶される。なお、既に記憶されている項目内容情報が「Ｎ」であれば、既に記憶されている項目内容情報が優先され、サーバ読取手段３４０にて読み取って更新処理する処理は実行しない。さらに、優先度１の「Ｎ」および優先度２の「ＢＤ」が初期値であり３番目に優先される優先順位が３番である優先度３の「ＡＴＲ」が初期値以外であれば、その「ＡＴＲ」の項目内容情報が優先されて読み取られ、同様にデータベース３５１〜３５５に記憶される。このようにして、サーバ読取手段３４０にて読み取った項目内容情報が最新の情報か否かを認識して最新この項目内容情報を各データベース３５１〜３５５に適宜記憶あるいは更新することで、これらデータベース３５１〜３５５が関連付けられた最新文献情報データベース３５６が連動して最新の項目内容情報となり最新文献情報が構成される。
【００７１】
検索要求情報取得手段３６４は、サーバ通信手段３１０にてネットワーク１１０を介して端末装置２００から送信される検索要求情報を取得する。この取得した検索要求情報は、サーバ記憶手段３５０や図示しないメモリなどに適宜記憶されるとともに、文献検索手段３６５へ適宜出力する。
【００７２】
文献検索手段３６５は、検索要求情報取得手段３６４にて取得した対象の文献情報の文献固有情報を有した検索要求情報に基づいて、サーバ記憶手段３５０の最新文献情報データベース３５６から対象の最新文献情報を検索する。なお、端末装置２００からの検索要求情報に基づいて、各データベース３５１〜３５５から公開公報や登録公報、各紙湯標準化データなどを検索してもよい。そして、文献検索手段３６５は、検出した最新文献情報を適宜取得し、サーバ記憶手段３５０や図示しないメモリなどに適宜記憶するとともに、検索結果生成手段３６６へ出力する。なお、検出できなかった場合には、検出できなかった旨の信号を検索結果生成手段３６６へ出力する。
【００７３】
検索結果生成手段３６６は、文献検索手段３６５で取得した検出した最新文献情報に基づいて、端末装置２００へ報知するために適宜処理して検索結果情報を生成する。すなわち、最新文献情報のテーブル構造を構成する各項目内容情報が所定の位置に配置された表示形態で表示されるあらかじめ設定された所定のフォームに対応して変換する処理をする。また、検出できなかった旨の信号を取得した場合には、その旨を端末装置２００で出力可能な所定のフォームの検索結果情報を生成する。なお所定のフォームは、例えばサーバ記憶手段３５０にあらかじめ記憶され、サーバ記憶手段３５０から適宜読み出して取得する。そして、生成した検索結果情報は、サーバ記憶手段３５０や図示しないメモリなどに適宜記憶されるとともに、報知手段３６７へ適宜出力させる。
【００７４】
報知手段３６７は、検索結果生成手段３６６により生成した検索結果情報を取得して適宜処理し、サーバ通信手段３１０によりネットワーク１１０を介して端末装置２００へ送信する。このことにより、端末装置２００は、検索結果取得手段２５３にて取得した検索結果情報を適宜処理し、端末表示手段２３０で表示させたり、図示しない接続された印刷装置にて印刷出力させたりし、検索結果が端末装置２００に報知される。
【００７５】
課金演算手段３６８は、検索要求情報や文献検索手段３６５にて検索し報知手段３６７にて送信する検索結果情報などに基づいて、検索要求をした利用者に対して対価を演算する。この対価の演算としては、例えば端末装置２００がネットワーク１１０を介してサーバ装置３００に接続した時間、検索を実行するための検索料金、検索結果の情報量に対応する回答出力料金などに基づいて対価を演算する。なお、この対価の額は、検索結果情報とともに報知手段３６７により端末装置２００へ送信される。
【００７６】
決済手段３６９は、課金演算手段３６８にて演算した対価を回収するための処理をする。例えば、サーバ記憶手段３５０にあらかじめ記憶されている端末装置２００を用いて利用する利用者を特定する顧客情報などに基づいて、請求書を発行したり、例えばネットワーク１１０を介して各金融機関が管理する付加価値通信網(Value-Added Network:ＶＡＮ)であるいわゆる金融ＶＡＮに構築されたファームバンキング（Firm Banking:ＦＢ）を利用して決済処理したり、決済処理する旨をサーバ表示手段３３０に表示させて管理者に決済処理を促す案内を報知するなどの処理をする。
【００７７】
〔文献情報検索システムの動作〕
次に、上述した文献情報検索システムにおける所定の文献情報を検索するための動作について図面を参照して説明する。
【００７８】
（最新文献情報の生成処理）
まず、サーバ装置３００に最新文献情報を生成する生成処理について図面を参照して説明する。図５は情報統括処理手段３６３にて優先する項目内容情報を選出する動作を説明するための説明図で、（Ａ）は出願記事について対象検索手段３６１にて対応する項目内容情報を検出して比較手段３６２にて比較する状態を模式的なテーブルデータとして示す説明図で、（Ｂ）は出願記事について情報統括処理手段３６３にて最新の項目内容情報を選出して最新文献情報を生成したテーブルデータを示す模式図である。図６および図７は情報統括処理手段３６３にて優先する項目内容情報を選出する動作を説明するための説明図で、（Ａ）は優先権記事について対象検索手段３６１にて対応する項目内容情報を検出して比較手段３６２にて比較する状態を模式的なテーブルデータとして示す説明図で、（Ｂ）は優先権記事について情報統括処理手段３６３にて最新の項目内容情報を選出して最新文献情報を生成したテーブルデータを示す模式図である。そして、図７は、図６の状態からさらに出願に関する整理標準化データを取得した時点における最新文献情報を生成する動作を説明する。図８は大半の文献情報が頒布される順番で頒布される文献情報に基づいて最新文献情報を生成する動作を説明するための説明図で、（Ａ）は頒布される文献情報を時系列で示す説明図、（Ｂ）は頒布された文献情報をデータベースに蓄積した状況を説明するための説明図で、（Ｃ）は文献情報が頒布される毎に最新文献情報を更新した状況を説明するための説明図である。図９は公開前に登録された文献情報における頒布される順番で頒布される文献情報に基づいて最新文献情報を生成する動作を説明するための説明図で、（Ａ）〜（Ｃ）は図８の（Ａ）〜（Ｃ）と同様の説明図である。
【００７９】
あらかじめ、サーバ装置３００にサーバ装置用のアプリケーションソフトウェアをインストールしておく。そして、アプリケーションソフトウェアを起動させ、サーバ入力手段３２０による頒布された文献情報を取得する旨の入力操作により、サーバ処理手段３６０はサーバ読取手段３４０を動作制御し、頒布された文献情報の頒布の形態を認識する。さらに、サーバ処理手段３６０はサーバ読取手段３４０を動作制御し、頒布された文献情報の各項目内容情報を読み取らせ、認識した頒布の形態に基づいて対応するデータベース３５１〜３５５に記憶された各テーブルデータの各項目内容情報に記憶して蓄積させる。
【００８０】
また、サーバ処理手段３６０は、情報統括処理手段３６３により、頒布された文献情報を各データベース３５１〜３５５に蓄積した際、読取マスタデータベース３５７から、最新文献情報のテーブルデータのデータ構成に対応した読取マスタデータを読み取る。さらに、サーバ処理手段３６０は、対象検索手段３６１により、読取マスタデータの各分類毎に対象となる文献情報を記録するデータベース３５１〜３５５から対応する項目内容情報をそれぞれ読み取る。そして、サーバ処理手段３６０は、比較手段３６２により、読取マスタデータの優先度情報に基づいて、同一の文献情報における各データベース３５１〜３５５のテーブルデータの各項目内容情報の優先順位を比較し、優先する項目内容情報を特定する。そして、情報統括処理手段３６３は、比較手段にて認識した最も優先される項目内容情報を選出し、最新文献情報のテーブルデータのデータ構造に対応して１つのレコードとして最新文献情報を生成する。この生成した最新文献情報は、最新文献情報データベース３５６に蓄積する。
【００８１】
具体的には、図５に示す分類として出願記事について例示すると、出願記事は読取マスタデータにより各公報および各整理標準化データを対象とする旨が設定されているため、対象検索手段３６１は、読取マスタデータに基づいて、各データベース３５１〜３５５に蓄積された各文献情報の出願記事について、文献情報毎すなわち出願番号毎に読み出す。この状態を模式的に示すと、図５（Ａ）に示すようになる。この状態で、各項目毎に読取マスタデータで設定された優先度情報に基づいて、比較手段３６２が各項目内容情報を比較して優先順位を比較する。すなわち、出願記事の各項目が、それぞれ「ＡＴＲ、ＢＤ、Ｎ」の優先順位に設定されていることから、出願に関する整理標準化データＮの項目内容情報が最優先することを認識する。なお、出願日および公開基準日における出願に関する整理標準化データの項目内容情報は、初期値となっていることから、次の優先順位となる登録公報発行時データベース３５２に蓄積されたテーブルデータＤの項目内容情報が優先すると認識する。そして、情報統括処理手段３６３は、比較手段にて認識した優先順位に基づいて対応する項目内容情報を選出し、図５（Ｂ）に示すように最新文献情報を生成する。
【００８２】
同様に、繰り返し有無情報を有した優先権記事についても、図６および図７に示すように、読取マスタデータの優先度情報に基づいて、各データベース３５１〜３５５から対応する項目内容情報を選出し、最新文献情報を生成する。なお、この図６および図７は、２件の出願を先の出願として優先権主張した出願に関する優先権記事を示し、２つの記事を有する、すなわち項目内容情報が２つの情報を有して構成された例示である。また、図６は公開公報に関する文献情報と登録公報に関する文献情報を取得した時点における比較状態を示し、図７は図６の状態からさらに出願に関する整理標準化データを取得した時点における比較状態を示している。そして、図７において、優先権国コードの項目において、項目内容情報の一方が初期値であるが、他方が初期値でないため、図７（Ｂ）に示すように、最優先の出願に関する整理標準化データＮの項目内容情報を最新文献情報の項目内容情報として選出していることを示す。
【００８３】
このように、文献情報が頒布されるたびにその文献情報を各データベース３５１〜３５５に適宜蓄積するとともに、頒布される文献情報の各項目内容情報における優先順位を、読取マスタデータに基づいて既に記憶されている各データベース３５１〜３５５のテーブルデータと比較し、優先する項目内容情報を選出して最新文献情報のテーブルデータに更新させ、最新文献情報を最新の項目にて構成されたテーブルデータに維持する。すなわち、図８（Ａ）および図９（Ａ）に示すように文献情報が頒布されるたびに、その文献情報を図８（Ｂ）および図９（Ｂ）に示すようにサーバ記憶手段３５０の各データベース３５１〜３５５に蓄積させ、図８（Ｃ）および図９（Ｃ）に示すように優先する項目内容情報を選出して最新文献情報のデータ構造に合わせて記録・更新させ、最新文献情報を最新の状態に更新する。なお、図８は大半の文献情報が頒布される順番を例示した動作図で、図９は公開前に登録された場合の文献情報が頒布される順番を例示した動作図である。
【００８４】
（検索処理）
次に、上記文献情報検索システム１００による所定の文献情報を検索する検索処理について説明する。
【００８５】
あらかじめ、文献情報検索システム１００を利用するための端末装置用のアプリケーションソフトウェアを端末装置２００にインストールしておく。そして、端末装置２００でアプリケーションソフトウェアを起動させ、このアプリケーションソフトウェアに基づいてネットワーク１１０を介してサーバ装置３００に接続する。
【００８６】
この後、利用者がアプリケーションソフトウェアに基づいて端末表示手段２３０に表示される画面表示にしたがって、端末入力手段２２０を適宜入力操作し、検索対象の文献情報を特定する文献固有情報の出願番号を入力する。この入力操作により、端末処理手段２５０の検索対象設定手段２５１が、端末入力手段２２０からの入力操作に対応した信号に基づいて、検索対象の文献固有情報を設定する。さらに、利用者が画面表示にしたがって端末入力手段２２０を適宜入力操作することにより、端末処理手段２５０の検索要求手段２５２は、検索対象設定手段２５１にて設定した文献固有情報に対応する所定の文献情報についての検索の実行をサーバ装置３００に要求する旨の検索要求情報を生成し、端末通信手段２１０を制御し、ネットワーク１１０を介して検索対象の文献固有情報を有する検索要求情報をサーバ装置３００へ送信する。
【００８７】
この端末装置２００から送信される検索要求情報は、サーバ通信手段３１０にて取得されて適宜処理され、サーバ処理手段３６０の検索要求情報取得手段３６４にて取得して認識する。そして、サーバ装置３００は、サーバ処理手段３６０の文献検索手段３６５により、検索要求情報の文献固有情報や検索条件情報などに基づいて、サーバ記憶手段３５０の最新文献情報データベース３５６を検索し、検索要求情報の文献固有情報を含む最新文献情報のテーブルデータの有無を判断する。この検索により、文献検索手段３６５が所定のテーブルデータを検出すると、サーバ記憶手段３５０や図示しないメモリなどに適宜記憶するとともに、検索結果生成手段３６６へ出力する。
【００８８】
そして、検索結果生成手段３６６は、文献検索手段３６５で取得した最新文献情報あるいは検出できなかった旨の信号に基づいて、端末装置２００へ報知するための所定のテーブルデータに処理して検索結果情報を生成する。そして、この生成した検索結果情報をサーバ記憶手段３５０や図示しないメモリなどに適宜記憶するとともに、報知手段３６７へ適宜出力する。
【００８９】
また、サーバ処理手段３６０の課金演算手段３６８により、例えば端末装置２００がネットワーク１１０を介してサーバ装置３００に接続した時間、検索を実行するための検索料金、検索結果の情報量に対応する回答出力料金など、検索要求情報取得手段３６４にて取得した検索要求情報や文献検索手段３６５にて検索し報知手段３６７にて送信する検索結果情報などに基づいて、検索要求をした利用者に対して対価を演算し、課金情報を生成する。そして、この生成した課金情報をサーバ記憶手段３５０や図示しないメモリなどに適宜記憶するとともに、報知手段３６７へ適宜出力する。
【００９０】
この後、報知手段３６７により、検索結果生成手段３６６により生成した検索結果情報および課金演算手段３６８により生成した課金情報などを適宜処理する。さらに、報知手段３６７は、検索要求情報に含まれる要求をする利用者や端末装置２００を特定する情報などにより送信先を特定する。そして、報知手段３６７は、サーバ通信手段３１０を制御して、ネットワーク１１０を介して特定した端末装置２００へ検索結果情報および課金情報などを送信する。
【００９１】
そして、サーバ装置３００から送信された検索結果情報および課金情報などを端末装置２００の端末通信手段２１０にて取得されて適宜処理され、端末処理手段２５０の検索結果取得手段２５３にて取得して認識する。そして、端末装置２００は、出力制御手段２５４により、取得した各種情報を端末表示手段２３０で表示させたり、図示しない接続された印刷装置にて印刷出力させたりする出力処理をし、検索結果が利用者に対して報知される。なお、表示形態としては、コマンドモードによる表示形態やウエッブブラウザによる画面表示で表示される所定の表示画面など、いずれの形態が適用できる。
【００９２】
〔実施の形態の作用効果〕
上述したように、上記実施の形態では、工業所有権に関わる項目の内容に関する項目内容情報を複数有し頒布される文献情報の頒布の形態に関する文献種別情報を各項目毎に設定するとともに、文献情報の項目内容情報を読み取る優先順位を文献情報の頒布の形態により表された優先度情報を各項目毎に設定したテーブル構造の読取マスタデータを用いて最新文献情報を生成する。このため、例えば分割や変更出願、国内優先など、関連するものが比較的に多く、また引用関係など権利の有効性の判断などに重要な関連となる工業所有権に関わる文献情報について、文献情報の各項目内容情報が文献情報の頒布のたびに最新のものとして取得することが簡単なデータ構造ででき、文献情報の最新の内容の確認が容易となる検索を容易で迅速に得ることができる。したがって、工業所有権に関わる文献情報の運用が容易にできるとともに、良好な検索結果を得るためのデータ構造の構築や更新などのデータ管理も容易にでき、運用管理性を向上でき、利用の拡大も容易に図ることができる。
【００９３】
また、工業所有権に関わる項目として、出願手続における書誌的事項および文献情報の経過状況に関する情報である経過情報としている。このため、工業所有権の運用の際に必要となる工業所有権に関わる文献情報の最新の書誌的事項や経過状況の確認が容易となる検索が容易に得られ、工業所有権を容易に有効利用できる。
【００９４】
そして、最新文献情報としては、サーバ読取手段３４０にて頒布される文献情報における頒布の形態に関する文献種別情報および文献情報の項目内容情報を読み取り、情報統括処理手段３６３により、読取マスタデータの優先度情報の優先順位に基づいて、頒布される文献情報の項目内容情報を適宜選出して１つのレコードして関連付けたテーブルデータとして生成する。このため、文献情報の各項目内容情報が文献情報の頒布のたびに最新の最新文献情報として簡単な構成で容易に生成でき、簡単なデータ構造で文献情報の最新の内容の確認が容易で迅速な検索をするための構成を容易に得ることができる。
【００９５】
また、サーバ読取手段３４０にて頒布された文献情報を読み取った際に、この文献情報の項目内容情報と、この文献情報の頒布の形態が異なりあらかじめサーバ記憶手段３５０の各データベース３５１〜３５５に蓄積された同一の文献情報の項目内容情報とにおいて、優先度情報の最も優先される優先順位の項目内容情報を選出して最新文献情報を生成している。このため、最新の項目内容情報を選出することが容易にできるとともに、迅速に最新の項目内容情報を選出することが容易にでき、最新の内容についての文献情報の検索が迅速で容易な構成を容易に得ることができる。
【００９６】
さらに、情報統括処理手段３６３により、頒布される文献情報の頒布の形態毎に頒布される文献情報をそれぞれ蓄積する複数のデータベース３５１〜３５５における頒布の形態に基づいて、データベース３５１〜３５５に蓄積された文献情報の項目内容情報の優先度情報により優先順位を認識し、最も優先される項目内容情報により最新文献情報を生成している。このため、頒布される文献情報の蓄積や管理が容易にできるとともに、蓄積した文献情報を利用して最新の項目内容情報にて構成した文献情報の検索が容易に得られ、構成の簡略化が容易にできる。
【００９７】
また、最新文献情報として、文献情報における書誌的事項や経過情報などの文献情報に関する全ての項目において、最新の項目内容情報が文献情報毎に１つのレコードとして記録されたテーブル構造で、各データベース３５１〜３５５と文献情報毎に項目内容情報である出願番号情報でいわゆる紐付けされたテーブル構造に構成している。このため、最新文献情報を認識するのみで、その文献情報における工業所有権に関わる項目について、最新の状態を認識でき、審査状況や審判状況などについてそれぞれ検索する必要がなく、利便性を向上でき、工業所有権の有効利用が容易にできる。
【００９８】
そして、ネットワーク１１０を介して接続する端末装置２００からの検索要求によりサーバ装置３００で検索して報知するシステム構成としている。このため、簡単な端末装置２００の構成でも、文献情報の関連に関する検索が容易にでき、利用の拡大を容易に図ることができる。さらには、サーバ装置３００にて統括的に容量の大きな情報を管理でき、データの更新などが容易で、運用管理性を容易に向上できる。したがって、携帯電話などの処理能力が比較的に小さいものを用いても容易に検索でき、利用の拡大が容易に図れる。
【００９９】
そして、パーソナルコンピュータなどにプログラムとして検索処理が実行可能に構成している。このため、プログラムを組み込む、さらにはプログラムを記録した記録媒体を用いることで、上記処理が容易に得られ、利用の拡大が容易に図れる。
【０１００】
〔実施形態の変形〕
なお、本発明は、上述した一実施の形態に限定されるものではなく、本発明の目的を達成できる範囲で以下に示される変形をも含むものである。
【０１０１】
例えば、システム構成として説明したが、１台のパーソナルコンピュータを用い、頒布される文献情報を読み取って最新文献情報を生成し、このパーソナルコンピュータを用いて検索する装置構成としたり、サーバ記憶手段３５０をネットワーク１１０を介してサーバ処理手段３６０が読み取る構成としたり、端末装置２００にサーバ装置３００のサーバ処理手段３６０の構成を設け、ネットワーク１１０を介してサーバ記憶手段３５０を読み取り、端末装置２００に最新文献情報を作成して記憶させ、端末装置２００で検索処理したり、サーバ記憶手段３５０の構成をサーバ装置３００と切り離してネットワーク１１０を介して別のサーバ装置として構成したり、最新文献情報を生成する構成と、最新文献情報を検索する構成とを分離した構成とするなど、いずれの形態とすることができる。
【０１０２】
そして、頒布される文献情報をその種別にしたがって、公開公報発行時データベース３５１、登録公報発行時データベース３５２、審査経過情報データベース３５３、審判経過情報データベース３５４、および登録原簿情報データベース３５５にそれぞれ蓄積し、これらデータベース３５１〜３５５のテーブルデータをまとめる状態に関連付けた最新文献情報のテーブルデータを生成する構成について説明したが、頒布された文献情報の項目内容情報を読み取る際に、優先順位にしたがって最新か否かを判断して直接最新文献情報のテーブルデータに記録あるいは更新する構成とするなどしてもよい。また、頒布された文献情報を、既に記憶されているデータベース３５１〜３５５の項目内容情報や最新文献情報の項目内容情報と優先順位を比較して優先する文献情報のみを更新してもよく、さらにはこの後に頒布された文献情報を各データベース３５１〜３５５に蓄積させる処理をしてもよい。なお、最新文献情報の項目内容情報との優先順位の比較により、別途データベース３５１〜３５５を設けなくてもよくなり、サーバ記憶手段３５０の記憶領域の縮小化が容易に図れ、構成の簡略化が容易に図れる。さらに、各データベース３５１〜３５５に蓄積する際に、最新か否かを判断して最新の情報を各データベース３５１〜３５５に蓄積し、これらデータベース３５１〜３５５のテーブルデータに最新文献情報のテーブルデータを関連付けて最新文献情報を生成するなどしてもよい。
【０１０３】
また、頒布される毎に文献情報を適宜蓄積するとともに、蓄積した文献情報の各項目内容情報を優先順位にしたがって選出して最新文献情報を生成する構成に限らす、頒布された文献情報を一括してサーバ記憶手段３５０に蓄積してから、最新文献情報を生成させる処理を実施するなどしてもよい。
【０１０４】
そして、報知する形態としては、表示させる他、音声出力や印刷出力など、利用者が認識できるいずれの方法をも適用できる。そして、表示形態としては、コマンドモードによる表示の他、ウエッブブラウザによる画面表示にて表示される表示形態など、いずれの表示形態が利用できる。
【０１０５】
その他、本発明は、上述した一実施の形態および実施形態の変形のみに限ることなく、その他、本発明の目的を逸脱しない範囲で、例えばデータ構造を変更したり、データ構造の項目を設定したり、処理のための構成を変更するなど、様々な応用が可能である。
【産業上の利用可能性】
【０１０６】
本発明は、特許や実用新案、意匠、商標などの他、例えば外国文献や商号など広義の意味の工業所有権に関わる文献情報を検索する構成に利用できる。また、文献情報としては、各種公報や整理標準化データによる頒布形態の他、いずれの形態で頒布される工業所有権に関わる全ての項目の内容に関する情報を対象とすることができる。
【図面の簡単な説明】
【０１０７】
【図１】本発明の一実施の形態に係る文献情報検索システムの概略構成を示す概念図である。
【図２】前記一実施の形態における端末装置の概略構成を示すブロック図である。
【図３】前記一実施の形態におけるサーバ装置の概略構成を示すブロック図である。
【図４】前記一実施の形態における読取マスタデータのテーブルデータであるデータ構造を示す模式図である。
【図５】前記一実施の形態における情報統括処理手段にて優先する項目内容情報を選出する動作を説明するための説明図であって、（Ａ）：出願記事について対応する項目内容情報を比較する状態を模式的なテーブルデータとして示す説明図であって、（Ｂ）：出願記事について最新文献情報を生成したテーブルデータを示す模式図である。
【図６】前記一実施の形態における情報統括処理手段にて優先する項目内容情報を選出する動作を説明するための説明図であって、（Ａ）：優先権記事について対応する項目内容情報を比較する状態を模式的なテーブルデータとして示す説明図であって、（Ｂ）：優先権記事について最新文献情報を生成したテーブルデータを示す模式図である。
【図７】前記一実施の形態における情報統括処理手段にて優先する項目内容情報を選出する動作を説明するための説明図であって、（Ａ）：優先権記事について対応する項目内容情報を比較する状態を模式的なテーブルデータとして示す説明図であって、（Ｂ）：優先権記事について最新文献情報を生成したテーブルデータを示す模式図である。
【図８】前記一実施の形態における頒布される文献情報に基づいて最新文献情報を生成する動作を説明するための説明図であって、（Ａ）：頒布される文献情報を時系列で示す説明図であって、（Ｂ）：頒布された文献情報をデータベースに蓄積した状況を説明するための説明図であって、（Ｃ）：文献情報が頒布される毎に最新文献情報を更新した状況を説明するための説明図である。
【図９】前記一実施の形態における頒布される文献情報に基づいて最新文献情報を生成する動作を説明するための説明図であって、（Ａ）：頒布される文献情報を時系列で示す説明図であって、（Ｂ）：頒布された文献情報をデータベースに蓄積した状況を説明するための説明図であって、（Ｃ）：文献情報が頒布される毎に最新文献情報を更新した状況を説明するための説明図である。
【符号の説明】
【０１０８】
１００…文献情報検索システム
１１０…ネットワーク
２００…端末装置
２３０…出力手段としての表示手段
２５２…検索要求手段
３００…サーバ装置
３４０…読取手段としてのサーバ読取手段
３５０…蓄積手段として記憶手段であるサーバ記憶手段
３５１…蓄積手段である蓄積領域としての公開公報発行時データベース
３５２…蓄積手段である蓄積領域としての登録公報発行時データベース
３５３…蓄積手段である蓄積領域としての審査経過情報データベース
３５４…蓄積手段である蓄積領域としての審判経過情報データベース
３５５…蓄積手段である蓄積領域としての登録原簿情報データベース３５５
３５７…工業所有権に関わる文献情報の検索データ構造である記憶手段としての読取マスタデータベース
３６３…情報統括処理手段
【図１】
2005099936.tif 000003
【図２】
2005099936.tif 000004
【図３】
2005099936.tif 000005
【図４】
2005099936.tif 000006
【図５】
2005099936.tif 000007
【図６】
2005099936.tif 000008
【図７】
2005099936.tif 000009
【図８】
2005099936.tif 000010
【図９】
2005099936.tif 000011